(57)【要約】【課題】  従来は壁取り付け方コンセントに差込みプラグをそのまま差し込んで使用している。これだと差込みプラグがコードの重さや、コードが引張られて自然に緩み、コンセントと差込みプラグの隙間に埃や水分が溜まることでショートしやすくなり火事の原因となる。そこで使用方法が簡単で経済的なトラッキング現象防止器具を提供する。【解決方法】該壁取り付けコンセントに差込まれたプラグの上部に、該壁取り付けコンセントを被着体とし、該差込みプラグの幅よりやや大きい四角形またはそれに準じた形のシートの真ん中もしくは任意の位置で横にＬ字型に谷折りし、そのＬ字型に折られたシートの縦面の裏側すなわち該壁取り付けコンセントに接する面を接着面とし、Ｌ字型に折られたシートの底面をプラグ上部に覆う様にして貼る。【選択図】                図１
2005268193.tif 000002
【特許請求の範囲】
【請求項１】
家庭内の壁取り付けコンセントに差し込まれたプラグにおいて、該壁取り付けコンセントに差し込まれたプラグ（２）の上部に、該壁取り付けコンセント（１）を被着体側とし、該差込みプラグの幅よりやや大きい四角形またはそれに準じた形のシート（図１−ロ）の真ん中もしくは任意の位置で横にＬ字型に谷折り（４）しＬ字型（図１−ハ）に折り、そのＬ字型に折られたシートの縦面の裏側すなわち該壁取り付けコンセントに接する面（１１）を接着面とし、Ｌ字型に折られたシートの底面（１２）でプラグ上部を覆う様に、被着体である該壁取り付けコンセント（１）に該シートの接着面（１１）を貼ることを特徴としたトラッキング現象防止シート。
【請求項２】
請求項１の発明をさらにプラグの側面部分を保護するために、該シート（図２−ロ）を該プラグ幅よりはみ出した部分（１１−１，１１−３，１２−１，１２−３）について１１−１と１１−３を（６）の部分から切り離し（４）の部分で谷折し、１２−１と１２−３を（５）の部分で山折し、該プラグ（２）の側面を覆うように工夫されたことを特徴としたトラッキング現象防止シート。
【発明の詳細な説明】
【技術分野】
【０００１】  本発明は、家庭用壁取り付けコンセントと差込みプラグの隙間に埃や水分が溜まりショートして火事になるトラッキング現象防止器具についてのものである。
【背景技術】
【０００２】  従来は壁取り付け方コンセントに差し込みプラグをそのまま差し込んで使用している。差込みプラグがコードの重さや、コードが引っ張られることにより自然に緩み、壁差込みコンセントと差込みプラグの隙間に埃や水分が溜まることで、ショートしやすくなり火事の原因となる。【０００３】  また、キャップ式でプラグに被せる方式なるものがあるが、通常家の中には１０箇所以上の２口コンセントが設置されている場合が多く、すべてを保護しようとした場合かなりの金額となり経済的な負担が大きい。
【発明の開示】
【発明が解決しようとする課題】
【０００４】  そこで、本発明は上記実情を鑑見てなされたもので、コンセントと差込みプラグの隙間に埃や水分が付着することを防ぎ、しかも安価で簡単に使用できるものを提供する。
【問題を解決する為の手段】
【０００５】  上記課題を解決するため本発明は、該壁取り付けコンセントに差し込まれたプラグの上部に、該壁取り付けコンセントを被着体側とし、該差込みプラグの幅よりやや大きい四角形またはそれに準じた形のシートの真ん中もしくは任意の位置で横にＬ字型に谷折りし、そのＬ字型に折られたシートの縦面の裏側すなわち該壁取り付けコンセントに接する面を接着面とし、Ｌ字型に折られたシートの底面をプラグ上部に接する様にして、被着体である該壁取り付けコンセントに該シートの接着面を貼る。
【０００６】  また、請求項２において上記課題を解決するため本発明は、請求項１の発明の該シートの横幅を大きくし、該シートを該プラグ幅よりはみ出した部分から山折し（ただし該シートの接着面は山折された延長線上でカッティングする）、該プラグの側面を覆うように折り曲げる。
【発明を実施するための最良の形態】
【０００７】  本発明の実施の形態を図−１で以下説明する。本発明は、家庭内の壁取り付けコンセント（１）に差し込まれたプラグ（２）において、該壁取り付けコンセントに差し込まれたプラグ（２）の上部に、該壁取り付けコンセント（１）を被着体側とし、該差込みプラグの幅よりやや大きい四角形またはそれに準じた形のシート（図１−ロ）の真ん中もしくは任意の位置で谷折り（４）しＬ字型（図１−ハ）に折り、そのＬ字型（図１−ハ）に折られたシートの縦面の裏側すなわち該壁取り付けコンセントに接する面（１１）を接着面とし、Ｌ字型に折られたシートの底面（１２）をプラグ上部に接する様にして、被着体である該壁取り付けコンセント（１）に該シートの接着面（１１）を貼ることを特徴としたトラッキング現象防止シート。【０００８】  請求項２においては、請求項１の発明をさらにプラグの側面部分を保護するために、該シート（図２−ロ）を該プラグ幅よりはみ出した部分（１１−１，１１−３，１２−１，１２−３）において、図２−ロの１２−１と１２−２，１２−２と１２−３の間の位置（５）で山折し、１１−１と１１−２，１１−２と１１−３の間の位置、すなわち（５）の山折り線の延長上の（６）で切り離される。【０００９】  図２−ロの該シートを接着面（１１−２）とプラグ上部保護面（１２−２）の間（４）で谷折りし直角（Ｌ字型）に折る、プラグ上部保護面（１２−２）と側面保護面（１２−１，１２−３）の間（５）で直角（Ｌ字型）に山折りし、さらに側面保護面（１２−１，１２−３）と接着面（１１−１，１１−３）の間（４）で直角（Ｌ字型）に谷折りする。その折上げた形状のまま被接着体である該壁取り付けコンセント（１）に該シートの接着面（１１−１，１１−２，１１−３）を接着させ、該コンセントと該プラグの間を保護する。【００１０】  なお、シートの形状については四角形とは限らず楕円形や多角形または飾りなどをつけた形状なども考えられる。【００１１】  また、シートの材質などについてもプラスチックやビニール、紙など容易に考え付く事が出来る。【００１２】  尚、本発明は、本発明の精神を逸脱しない限りの改変をなすことができ、そして、本発明が改変されたものに及ぶことは当然である。
【発明の効果】
【００１３】  本発明においては、通常家電製品や家具の陰に隠れて目に付かず忘れ去られているコンセントと差し込みプラグの間に埃や水分が溜まることでショートし火事になる危険性がある中、本発明を使用することにより上記のように壁取り付けコンセントと差込みプラグの間に埃や水分が溜まらないように保護し、火事になることを防ぐことが出来る。しかも使い方が簡単で利用価値があり経済的である。
【図面の簡単な説明】
【００１４】
【図１】（イ）本発明の請求項１の構図、（ロ）は使用前のシート、（ハ）は使用形態。
【図２】（イ）本発明の請求項２の構図、（ロ）は使用前のシート、（ハ）は使用形態。
【図３】本発明の其の他の活用方法
【符号の説明】
【００１５】１    壁取り付けコンセント
２    差込みプラグ
３    シート（本発明）
４    谷折り線
５    山折り線
６    切れ込み
１１  シート（本発明）の接着面
１２  差込みプラグ保護面
【図１】
2005268193.tif 000003
【図２】
2005268193.tif 000004
【図３】
2005268193.tif 000005